(57)【特許請求の範囲】
【請求項１】
上面に天板支持枠に保持された平板状のトッププレートが装着された本体ケースに、前記トッププレート上に載置された調理用器具を加熱する電磁誘導コイルを内蔵した加熱調理器において、
前記天板支持枠の後部側に支持される支持部材と、該支持部材に着脱かつ回動可能に連結されたサークル体とからなるガイド体を有し、該ガイド体のサークル体を前記電磁誘導コイル上において前記トッププレートに当接させ、該サークル体内に前記調理用器具をセットしうるように構成したことを特徴とする加熱調理器。
【請求項２】
前記ガイド体のサークル体の内径を、電磁誘導コイルの外径とほぼ等しいか又はこれより大きく形成したことを特徴とする請求項１記載の加熱調理器。
【請求項３】
前記ガイド体を、本体ケースに着脱可能に支持したことを特徴とする請求項１又は２に記載の加熱調理器。
【請求項４】
前記ガイド体のサークル体を、非磁性材で構成したことを特徴とする請求項１〜３のいずれかに記載の加熱調理器。
【請求項５】
前記ガイド体のサークル体の一部又は全体を、透明な材料で形成したことを特徴とする請求項１〜４のいずれかに記載の加熱調理器。
【請求項６】
前記ガイド体のサークル体を、所定温度で変色する材料で形成し、又はサークル体に所定温度で変色する部材を取付けたことを特徴とする請求項１〜５のいずれかに記載の加熱調理器。
【請求項７】
前記ガイド体のサークル体に前記トッププレートに設けた温度表示部に対応してレンズ部を設けたことを特徴とする請求項１〜６のいずれかに記載の加熱調理器。
【請求項８】
前記ガイド体のサークル体に、電磁誘導コイルによる温度状態を表示する温度表示部を設けたことを特徴とする請求項１〜６のいずれかに記載の加熱調理器。
【請求項９】
前記のガイド体のサークル体の下面に複数の凸部を設けたことを特徴とする請求項１〜８のいずれかに記載の加熱調理器。
【請求項１０】
前記ガイド体のサークル体を少なくとも２部分に分割し、これらを屈曲自在に連結したことを特徴とする請求項１〜９のいずれかに記載の加熱調理器。
【請求項１１】
前記ガイド体のサークル体の一部を切除してほぼＣ字状に形成したことを特徴とする請求項１〜１０のいずれかに記載の加熱調理器。
【請求項１２】
前記本体ケースの上面周囲にトッププレートを支持する天板支持枠を設け、ガイド体のサークル体の一部を前記天板支持枠に近接又は当接して設けたことを特徴とする請求項１〜１１のいずれかに記載の加熱調理器。
【請求項１３】
前記本体ケースに複数のガイド体を設け、それぞれ独立してサークル体がトッププレートに当接しうるように構成したことを特徴とする請求項１〜１２のいずれかに記載の加熱調理器。
【発明の詳細な説明】
【０００１】
【発明の属する技術分野】
本発明は、加熱調理器に係り、さらに詳しくは、鍋等の調理用器具をトッププレート上の所定の位置に確実に載置することができ、好ましい調理を行うことのできる加熱調理器に関するものである。
【０００２】
【従来の技術】
図１６は従来の加熱調理器の一例の斜視図である。本体ケース１の上部開口部には天板支持枠２が装着されており、この天板支持枠２にはガラス板などの非磁性材からなるトッププレート３が取付けられている。４は印刷によりトッププレート３に設けられて調理用器具（以下、鍋という）の載置位置を表示するサークルライン、５はサークルライン４の前面側においてトッププレート３に設けた温度表示部、６は天板取付枠３の後面側に開口した外気導入口である。
【０００３】
７は全面側に出し入れ自在に設けた引出し状のグリラー、８はその取っ手、９は操作部、１０は電源スイッチ、１１は温度調節つまみである。なお、図示してないが、本体ケース１内のサークルライン４に対応した位置には、トッププレート３の下面に密着した発熱体である電磁誘導コイルが設けられており、また、本体ケース１内には、この電磁誘導コイルの出力を制御する制御基板、制御基板に実装した電気部品等を冷却する送風機等が配置されている。
【０００４】
上記のような加熱調理器によって調理する場合は、先ず被調理物が入れられた鍋をサークルライン４上に載置し、温度調節つまみ１１により加熱温度を設定し、電源スイッチ１０をＯＮして電磁誘導コイルに通電し、その電磁誘導作用により被調理物を加熱し、調理する。このとき、温度表示部５にはそのときの温度状態が表示される（従来技術１）。
【０００５】
図１７は実開平７−５２９３号公報に記載された電磁調理器用五徳の断面図である。天板４５の開口部４６上にはハカマ４７が設けられており、その上縁部には少なくとも３つの支持点を持つ上五徳４８が取付けられている。そして、ハカマ４７の内部に設けた電磁加熱コイル４９を、中央部に向って深い窪みを有するセラミックプレート５１で覆うようにしたものである。
【０００６】
上記のような電磁調理器においては、中央に向って深い窪みを有する鍋５２を上五徳４８上にセットし、電磁加熱コイル４９に電磁加熱ユニット５０から電力を供給して、鍋５２内の被調理物を加熱し、調理するようにしたもので、被調理物の分量や形態に応じて鍋５２を変更して使用することができるとしている（従来技術２）。
【０００７】
【発明が解決しようとする課題】
従来技術１においては、鍋をサークルライン４を目安にしてトッププレート３上に載置すればよいが、部屋が暗い場合あるいは老人や子供の場合は鍋の載置位置がわかりにくく、また、トッププレート３が平坦なため、調理中に誤って鍋を移動させてしまうことがある。さらに、２つの鍋を同時にトッププレート３上に載置する場合に、鍋の取っ手どうしが当って鍋が移動してしまうこともある。
このように鍋がサークルライン４上の定位置に載置されていないと、加熱効率が悪いばかりでなく、加熱ムラが生じて好ましい調理ができないという問題がある。
【０００８】
また、暗い部屋や老人などが使用する場合は、温度表示部５が見難いため、調理中の温度状態を判断することが困難な場合があり、このため、温度状態を見誤って予期した調理ができないことがある。
【０００９】
従来技術２においては、鍋５２の定位置からの移動はないが、上五徳４８上に載置された鍋５２の鍋底がセラミックプレート５１に接していないため加熱効率が悪く、調理に時間がかかるばかりでなく、セラミックプレート５１がフラットでないため、清掃性が悪いなどの問題がある。
【００１０】
本発明は、上記の課題を解決するためになされたもので、鍋等の調理器具をトッププレート上の所定の位置に確実に載置できて移動することがなく、誰でも所望の調理を短時間で行うことのできる加熱調理器を提供することを目的としたものである。
【００１１】
【課題を解決するための手段】
（１）本発明は、上面に天板支持枠に保持された平板状のトッププレートが装着された本体ケースに、前記トッププレート上に載置された調理用器具を加熱する電磁誘導コイルを内蔵した加熱調理器において、前記天板支持枠の後部側に支持される支持部材と、該支持部材に着脱かつ回動可能に連結されたサークル体とからなるガイド体を有し、該ガイド体のサークル体を前記電磁誘導コイル上において前記トッププレートに当接させ、該サークル体内に前記調理用器具をセットしうるように構成したものである。
【００１２】
（２）本発明に係る加熱調理器は、上記（１）のガイド体のサークル体の内径を、電磁誘導コイルの外径とほぼ等しいか又はこれより大きく形成した。
【００１３】
（３）本発明に係る加熱調理器は、上記（１）又は（２）のガイド体を、本体ケースに着脱可能に支持させた。
（４）また、本発明に係る加熱調理器は、上記（１）〜（３）のいずれかのガイド体のサークル体を、非磁性材で構成した。
（５）また、本発明に係る加熱調理器は、上記（１）〜（４）のいずれかのガイド体のサークル体の一部又は全体を、透明な材料で形成した。
【００１４】
（６）本発明に係る加熱調理器は、上記（１）〜（５）のいずれかのガイド体のサークル体を、所定温度で変色する材料で形成し、又はサークル体に所定温度で変色する部材を取付けた。
（７）本発明に係る加熱調理器は、上記（１）〜（６）のいずれかのガイド体のサークル体にトッププレートに設けた温度表示部に対応してレンズ部を設けた。
（８）本発明に係る加熱調理器は、上記（１）〜（６）のいずれかのガイド体のサークル体に、電磁誘導コイルによる温度状態を表示する温度表示部を設けた。
【００１５】
（９）本発明に係る加熱調理器は、上記（１）〜（８）のいずれかのガイド体のサークル体の下面に複数の凸部を設けた。
（１０）本発明に係る加熱調理器は、上記（１）〜（９）のいずれかのガイド体のサークル体を少なくとも２部分に分割し、これらを屈曲自在に連結した。
【００１６】
（１１）本発明に係る加熱調理器は、上記（１）〜（１０）のいずれかのガイド体のサークル体の一部を切除してほぼＣ字状に形成した。
（１２）本発明に係る加熱調理器は、上記（１）〜（１１）のいずれかの本体ケースの上面周囲にトッププレートを支持する天井支持枠を設け、ガイド体のサークル体の一部をこの天板支持枠に近接又は当接して設けた。
【００１７】
（１３）本発明に係る加熱調理器は、上記（１）〜（１２）のいずれかの本体ケースに複数のガイド体を設け、それぞれ独立してサークル体がトッププレートに当接しうるように構成した。
【００１８】
【発明の実施の形態】
［実施の形態１］
図１は本発明の実施の形態１に係る加熱調理器の斜視図、図２は図１のＡ−Ａ断面図である。
図において、１は上面が開口された本体ケースで、上面開口部には天板支持枠２を介して、例えば耐熱ガラスの如き非磁性材からなる平板状のトッププレート３が取付けられている。４はトッププレート３に印刷によって設けられ、鍋の載置位置を表示するサークルラインで、その直径は後述の電磁誘導コイルの外径とほぼ等しいか、又は若干大きく形成されている。５はサークルライン４の前面側において、サークルライン４に沿ってトッププレート３に印刷された温度表示部である。
【００１９】
６は天板支持枠２の後部側に設けられ、外気を導入して本体ケース１内に設けられた発熱部品を送風機（図示せず）により冷却するための外気導入口である。７は前面側から本体ケース１内に出し入れ自在に設けられた魚等を焼くための引出し状のグラリー、８はその引出し取っ手である。９は前面側に設けた操作部で、１０は電源スイッチ、１１は温度調整つまみである。
【００２０】
１２は本体ケース１内に設けたフレーム、１３は上面に渦巻状に巻かれた電磁誘導コイル１４が設けられたコイル取付台で、電磁誘導コイル１４をできるだけ鍋に近付けて効率のよい磁力線が形成されるように、コイル支持台１３とフレーム１２との間にばね１５が介装されて付勢し、電磁誘導コイル１４を常時トッププレート３の下面に当接させている。なお、図示してないが、本体ケース１内には、多くの電気部品が実装されて電磁誘導コイル１４の出力を制御する制御基板や、これら電気部品を冷却するための送風機等が設置されている。
【００２１】
２０はサークルライン４に対応して天板支持枠２の後部側に回動可能に支持されたガイド体で、その一例を図３、図４に示す。
２１は例えば耐熱性を有する非磁性材からなる虫眼鏡のフレームのような形状のサークル体で、その内径Ｄはサークルライン４の外径より大きく選ばれている。このサークル体２１は、その一部又は全体を透明な材料で形成することが望ましい。また、この種加熱調理器では、一般に鍋の直径が２７ｃｍ以上のものは使用できないため、サークル体２１の内径は２７ｃｍ程度である。なお、２２（図２参照）は鍋を挿入し易くするために、サークル体２１の上部内周面に設けた傾斜部である。
【００２２】
２３はサークル体２１の下部に一体に設けられた連結部で、先端部には幅狭に形成された嵌合部２４が設けられており、この嵌合部２４には貫通穴２５が設けられている。
３５は貫通穴３８が設けられた腕部３６と、その下部に一体に設けられた脚部３７とからなるほぼＹ字状の支持部材で、その脚部３７が天板支持枠２に設けた保持穴１６に挿入され、保持される。
そして、ガイド体２０は、連結部２３の嵌合部２４を支持部材３５の腕部３６の間に嵌入し、例えば割ピンの如き支持軸３９を貫通穴３８，２５に着脱可能に挿通して連結され、これにより、サークル体２１は支持部材３５に支持軸３９を軸に回動可能に支持される。このときの状態を図２に示す。なお、１７は保持穴１６の後面側において天板支持枠２から突設され、ガイド体２０が後方に倒れるのを防止するストッパである。
【００２３】
次に、上記のように構成した本実施の形態の作用を説明する。
加熱調理器の不使用時には、ガイド体２０を支持軸３９を軸に後方に回動させ、図１の左側に示すように、支持部材３５上に立設させる。このとき、連結部２３がストッパ１７に当接するので、それ以上後方に倒れることはない。
【００２４】
調理を行う場合は、ガイド体２０を支持軸３９を軸に前方に回動させ、図１の右側及び図２に示すように、サークル体２１を自重によりトッププレート３に密着させ、サークルライン４の外周に位置させる。このとき、サークル体２１を透明材料で形成すれば、トッププレート３との間に異物が存在するときは容易に見出すことができるので、これを除去することによりサークル体２１をトッププレート３に密着させることができる。
【００２５】
そして、図５に示すように、被調理物が入れられた鍋４０をサークル体２１内にセットし、その底部をトッププレート３のサークルライン４上に載置する。これにより、鍋４０をサークルライン４上の所定の位置に確実にセットすることができる。このとき、万一、サークルライン４が消えていても、サークル体２１により鍋４０を確実に所定位置に載置することができる。ついで、温度調整つまみ１１により調理温度を設定し、電源スイッチ１０をＯＮして電磁誘導コイル１４に通電し、鍋４０を発熱させて被調理物を加熱し、調理を行う。調理中は、温度表示部５にそのときの温度状態が表示される。
【００２６】
調理が終ったときは、ガイド体２０を回動して後部側に立設する。これによりトッププレート３の上面が広くなり清掃が容易である。また、ガイド体２０を清掃する場合は、支持ピン３９を引き抜いてサークル体２１を支持部材３５から取外せばよく、場合によってはサークル体２１を連結したまま支持部材３５を保持穴１６から引抜いてもよい。これにより、ガイド体２０を容易に清掃することができる。このときの状態を図６に示す。
【００２７】
調理に使用する鍋４０は専用のものでも市販のものでもよいが、電磁誘導コイル１４が電磁誘導コイルの場合は、磁性材料からなる鍋を使用することが必要である。
また、鍋４０をセットするにあたり、ガイド体２０のサークル体２１の厚みが極端に薄いと、鍋４０がサークル体２１上に乗上げ、鍋底がトッププレート３に密着しないため、加熱効率が悪くなるばかりでなく、加熱ムラが生じる。
【００２８】
このような不都合を避けるために、サークル体２１の厚み（高さ）ｔ（図５）は、鍋４０をサークル体２１内に確実にセットすることができ、かつ移動しないようにするためになるべく厚くすることが必要で、例えば、１０ｍｍ程度以上とすることが望ましい。
【００２９】
さらに、サークル体２１は自重によりトッププレート３に密着しているため、トッププレート３から受熱して調理終了後もトッププレート３と同様に熱くなっている。そのため、ガイド体２０の少なくともサークル体２１を所定の温度で変色する材料で形成したり、あるいは、所定の温度で表示される例えば「高温注意」などの文字を設けるなどすれば、使用者に注意を促すことができる。この場合、サークル体２１を所定の温度で変色する材料で形成することなく、所定の温度で変色する別部材をサークル体２１に取付けてもよい（以下の実施の形態においても同様である）。
【００３０】
また、ガイド体２０の連結部２３とトッププレート３との間には、すき間ｇを形成することが望ましい。これにより、サークル体２１を確実にトッププレート３に密着させることができ、さらに、トッププレート３に加熱されて連結部２３が変形するのを防止することができる。
【００３１】
［実施の形態２］
図７は本発明の実施の形態２に係る加熱調理器の要部の平面図、図８は図７のＢ−Ｂ断面図である。なお、実施の形態１と同じ部分にはこれと同じ符号を付し、説明を省略する。
本実施の形態は、ガイド体２０のサークル体２１を、サークルライン４より大きい内径Ｄのリング状の当接部２６と、この当接部２６の内周縁に立設された高さｔ1 のガイド壁２７とによって形成し、当接部２６に連結部２３を設けたものである。
【００３２】
この場合、ガイド壁２７の高さｔ1 は、例えば鍋４０の周壁と底部との間に形成された円弧部４１より高くして、鍋４０を所定の位置に確実にセットできるようにすることが望ましい。なお、このガイド壁２７の高さを調整することにより、深鍋や浅鍋あるいはフライパンなどを適宜使用することができる。また、ガイド壁２７が高い場合には、フライパンなどを使用するときに、その持ち手をサークル体２１の外に位置させることができるように、ガイド壁２７に切欠き部を設けてもよい。
【００３３】
さらに、連結部２３とトッププレート３との間にはすき間ｇを設けることが望ましい。これにより、当接部２６を自重により確実にトッププレート３に密着することができ、また、連結部２３がトッププレート３により加熱されて変形するのを防止することができる。
本実施の形態の作用、効果は、実施の形態１の場合とほぼ同様である。
【００３４】
［実施の形態３］
図９は本発明の実施の形態３に係る加熱調理器の要部の平面図、図１０は図９のＣ−Ｃ断面図である。なお、実施の形態１と同じ部分にはこれと同じ符号を付し、説明を省略する。
本実施の形態は、ガイド体２０のサークル体２１の外周に、トッププレート３に設けた温度表示部５に対応してレンズ部２８を設けたものである。この場合、レンズ部２８に代えてその位置に単に透明材を設けてもよい。なお、５ａは温度表示部５を表示する表示灯である。
【００３５】
本実施の形態においては、調理のためにガイド体２０を回動してサークル体２１をトッププレート３に密着させると、レンズ部２８が温度表示部５上に位置する。そして、調理中に温度表示部５に表示灯５ａで表示された温度がレンズ部２８で拡大されるので、室内が暗い場合や老人などでも調理中の温度状態を一目で判断することができるため、誤使用を防止することができる。
本実施の形態は、実施の形態２の当接部２６にも実施することができる。
【００３６】
［実施の形態４］
図１１は本発明の実施の形態４に係る加熱調理器の要部の平面図である。なお、実施の形態１と同じ部分にはこれと同じ符号を付し、説明を省略する。
実施の形態３においては、ガイド体２０のサークル体２１の外周に、トッププレート３に設けた温度表示部５に対応してレンズ部２８を設けた場合を示したが、本実施の形態は、図１に示すようなトッププレート３に設けた温度表示部５を省略し、図１１に示すように、サークル体２１の前面側をほぼ半周にわたって拡径して拡径部２９を形成し、この拡径部２９の上面に温度表示部（高温注意表示部を含む）５を設けたものである。なお、図示してないが、拡径部２９の内部には、各温度範囲に対応して表示灯５ａが設けられており、各温度表示灯５ａは本体ケース１内に設けた制御部に電気的に接続されている。
【００３７】
そして、ガイド体２０を用いて調理中に、電磁誘導コイル１４の出力状態が、これに対応した温度表示部５の表示灯５ａを点灯して表示されるので、電磁誘導コイル１４の出力（温度）を容易かつ正確に目視することができ、また、ガイド体２０を回動して立設すれば、表面になんの表示もない簡素なトッププレート３を得ることができる。なお、上記の説明ではサークル体２１の前面側に拡径部２９を設けてこの拡径部２９に温度表示部５を設けた場合を示したが、サークル体２１上であれば拡径部２９をどこに設けてもよい。また、サークル体２１の一部を拡径することなく、サークル体２１に直接温度表示部５を設けてもよい。
【００３８】
［実施の形態５］
図１２は本発明の実施の形態５に係る加熱調理器の一部を省略したガイド体の下面図、図１３はその作用説明図である。なお、実施の形態１と同じ部分にはこれと同じ符号を付し、説明を省略する。
本実施の形態は、サークル体２１の下面に、ほぼ等間隔で高さｔ2 （図１３参照）の複数の凸部３０を設けたものである。なお、３１はサークル体２１の下面に凸部３０とほぼ同じ高さに突設された移動防止壁である。
【００３９】
上記のように構成した本実施の形態においては、ガイド体２０を支持軸３９を軸に回動させてサークル体２１をトッププレート３に当接させると、トッププレート３にはサークル体２１の凸部３０が当接し、図１３に示すように、サークル体２１の下面はトッププレート３から凸部の高さｔ2 だけ上方に位置し、両者の間にすき間ｇ1 が形成される。このため、トッププレート３が高温になってもガイド体２０全体の加熱を低く抑えることができる。
また、サークル体２１をトッププレート３上に位置させると、図１３に示すように、移動防止壁３１が天板支持枠２に当接し、ガイド体２０の移動が防止させる。
【００４０】
［実施の形態６］
図１４は本発明の実施の形態６に係る加熱調理器の斜視図である。なお、実施の形態１と同じ部分にはこと同じ符号を付し、説明を省略する。
本実施の形態は、ガイド体２０のサークル体２１をほぼ中央部において水平方向に２分割し、両者を例えばヒンジや紐などにより１８０°の範囲で屈曲自在に連結したものである。なお、本実施の形態においては、トッププレート３上の温度表示部５を省略し、サークル体２１に温度表示部５が設けられている。
【００４１】
このように構成した本実施の形態においては、ガイド体２０をトッププレート３上にセットする場合は、図１４の右側に示すように、サークル体２１を展開してその全体を直接又は凸部３０を介してトッププレート３に当接させる。また、ガイド体２０が不要になった場合は、図１４の左側に示すようにガイド体２０を回動して立設し、立設前又は立設後にサークル体２１を破線の位置から後方（又は前方）に屈曲させて、その高さを低くしたものである。
【００４２】
このようにしてサークル体２１を屈曲させることにより、ガイド体２０を小スペース化することができるので、狭い場所にも本発明に係る加熱調理器を設置することができる。なお、上記の説明では、サークル体２１をほぼ中央部において水平方向に２分割する場合を示したが、分割位置は中央部に限定するものではなく、適宜位置で分割すればよく、また分割も２分割に限るものではなく、３分割又はそれ以上に分割してもよい。
【００４３】
［実施の形態７］
図１５は本発明の実施の形態７に係る加熱調理器の斜視図及びガイド体の他の例の説明図である。なお、実施の形態１と同じ部分にはこれと同じ符号を付し、説明を省略する。
実施の形態１〜６ではガイド体２０のサークル体２１を円環状に形成した場合を示したが、本実施の形態においては、サークル体２１の一部を切除して切除部２１ａを設け、図１５（ａ）に示すように、サークル体２１をほぼＣ字状、又は図１５（ｂ）に示すようにほぼ馬蹄形に形成したものである（以下、両者を併せてＣ字状という）。なお、図１５（ａ）においては、トッププレート３に設けたサークルライン４を省略し、また温度表示部５も省略して、サークル体２１に温度表示部５が設けられている。
【００４４】
本実施の形態は、ガイド体２０のサークル体２１を上記のように形成したので、ガイド体２０をトッププレート３上にセットして調理を行う場合に、鍋４０を切除部２１ａ側から挿入してトッププレート３上に設置することができるので、操作が容易であり、また、鍋４０の設置にあたりサークル体２１の上に乗ったり、サークル体２１に引っ掛かることもない。
【００４５】
上記の説明では、本体ケース１に２つのガイド体２０を設けた場合を示したが、本体ケース１の規模などによりガイド体２０を１つ設けてもよく、あるいは３つ以上設けてもよい。
また、上記の説明では、電磁誘導コイル１４を用い、電磁誘導作用により鍋４０を発熱させて調理する場合を示したが、本発明は、電磁誘導コイル１４に代えて例えば電気抵抗材からなるヒータを用いた加熱調理器にも実施することができる。この場合は、非磁性材以外の材料からなる鍋も使用することができる。さらに、トッププレート３に設けたサークルライン４は省略してもよい。
【００４６】
また、ガイド体２０の底面にトッププレート３の表面温度を検知するセンサ（電気的配線を含め、図示せず）を設け、このセンサにより電磁誘導コイル１４の出力を電気的に制御するようにしてもよい。また、サークル体２０を電気部品により発光させれば、暗くても鍋４０の案内が容易である。なお、前記のトッププレート３の表面温度を検知するセンサにより、検知された温度等あるいは電磁誘導コイル１４の出力状況を、サークル体２０に表示させれば、より使い易い調理器を提供することができる。
【００４７】
また、上記の説明では、図示の加熱調理器に本発明に係るガイド体２０を設けた場合を示したが、他の構造の加熱調理器にガイド体２０を設置してもよい。なお、本発明に係る加熱調理器を実施の形態１〜７により詳細に説明したが、各実施の形態はそれぞれ単独で実施してもよく、あるいはこれら実施の形態を適宜組合わせて実施してもよい。
【００４８】
【発明の効果】
請求項１に係る発明は、上面に天板支持枠に保持された平板状のトッププレートが装着された本体ケースに、トッププレート上に載置された調理用器具を加熱する電磁誘導コイルを内蔵した加熱調理器において、前記天板支持枠の後部側に支持される支持部材と、該支持部材に着脱かつ回動可能に連結されたサークル体とからなるガイド体を有し、該ガイド体のサークル体を前記電磁誘導コイル上において前記トッププレートに当接させ、該サークル体内に前記調理用器具をセットしうるように構成したので、調理用器具を所定の位置に確実にセットすることができ、調理用器具を効率よく発熱させることができる。また、トッププレート及びガイド体の清掃が容易である。
【００５０】
請求項２に係る発明は、請求項１のガイド体のサークル体の内径を電磁誘導コイルの外径とほぼ等しいか又はこれより大きく形成したので、調理用器具を電磁誘導コイル上の所定の位置に確実にセットすることができる。
【００５１】
請求項３に係る発明は、請求項１又は２のガイド体を、本体ケースに着脱可能に支持するようにしたので、ガイド体の清掃時の着脱性がよく、清掃後は本体ケースに挿入するだけでよいので、取扱が容易である。
【００５２】
請求項４に係る発明は、請求項１〜３のいずれかのガイド体のサークル体を、非磁性材で構成したので、電磁誘導コイルの電磁誘導作用により発熱することがない。
【００５３】
請求項５に係る発明は、請求項１〜４のいずれかのガイド体のサークル体の一部又は全部を、透明な材料で形成したので、使用時にトッププレートの状態がわかり易く、若しトッププレートとサークル体との間に異物が存在するような場合は、容易に発見して除去することができる。
【００５４】
請求項６に係る発明は、請求項１〜５のいずれかのガイド体のサークル体を、所定温度で変色する材料で形成し、又はサークル体に所定温度で変色する部材を取付けて、調理後も熱いことを変色により表示することにより、使用者に注意を促すことができる。
【００５５】
請求項７に係る発明は、請求項１〜６のいずれかのガイド体のサークル体にトッププレートに設けた温度表示部に対応してレンズ部を設け、温度表示部を拡大するようにしたので、部屋が暗い場合や老人などにも調理温度を容易に判別することができる。
【００５６】
請求項８に係る発明は、請求項１〜６のいずれかのガイド体のサークル体に、電磁誘導コイルによる温度状態を表示する温度表示部を設けたので、調理用器具の温度を正確に目視することができ、また、トッププレートの表面を簡素化することができる。
【００５７】
請求項９に係る発明は、請求項１〜８のいずれかのガイド体のサークル体の下面に複数の凸部を設け、ガイド体をトッププレート上にセットしたときにこの凸部がトッププレートに当接し、サークル体の下面とトッププレートとの間にすき間を形成するようにしたので、調理によりトッププレートが高温になってもガイド体全体の温度上昇を抑制することができる。
【００５８】
請求項１０に係る発明は、請求項１〜９のいずれかのガイド体のサークル体を少なくとも２部分に分割し、これらを屈曲自在に連結してその高さを調節しうるようにしたので、加熱調理器を狭い場所にも設置することができる。
【００５９】
請求項１１に係る発明は、請求項１〜１０のいずれかのガイド体のサークル体の一部を切除してほぼＣ字状に形成したので、調理用器具のセットを容易かつ確実に行うことができ、セットにあたり調理用器具がサークル体上に乗ったり引っ掛ったりするおそれがない。
【００６０】
請求項１２に係る発明は、請求項１〜１１のいずれかの本体ケースの上面周囲にトッププレートを支持する天板支持枠を設け、ガイド体のサークル体の一部をこの天板支持枠に近接又は当接して設けたので、ガイド体を本体ケースに確実に保持できると共に、トッププレートの上面を広く使用することができ、その上清掃も容易である。
【００６１】
請求項１３に係る発明は、請求項１〜１２のいずれかの加熱調理器において、本体ケースに複数のガイド体を設け、それぞれ独立してサークル体がトッププレートに当接するようにしたので、調理に必要なガイド体のみをトッププレート上にセットすることができる。
【図面の簡単な説明】
【図１】  本発明の実施の形態１に係る加熱調理器の斜視図である。
【図２】  図１のＡ−Ａ断面図である。
【図３】  図１のガイド体の正面図である。
【図４】  図３の要部の分解斜視図である。
【図５】  実施の形態１の作用説明図である。
【図６】  図１のガイド体を取外した状態を示す斜視図である。
【図７】  本発明の実施の形態２に係る加熱調理器の要部の平面図である。
【図８】  図７のＢ−Ｂ断面図である。
【図９】  本発明の実施の形態３に係る加熱調理器の要部の平面図である。
【図１０】  図９のＣ−Ｃ断面図である。
【図１１】  本発明の実施の形態４に係る加熱調理器の要部の平面図である。
【図１２】  本発明の実施の形態５に係る加熱調理器の一部を省略したガイド体の下面図である。
【図１３】  図１２の作用説明図である。
【図１４】  本発明の実施の形態６に係る加熱調理器の斜視図である。
【図１５】  本発明の実施の形態７に係る加熱調理器の斜視図及びガイド体の他の例の説明図である。
【図１６】  従来の加熱調理器の一例の斜視図である。
【図１７】  従来の加熱調理器の他の例の要部断面図である。
【符号の説明】
１  本体ケース、２  天板支持枠、３  トッププレート、４  サークルライン、５  温度表示部、９  操作部、１４  誘導加熱コイル、１６  保持穴、１７  ストッパ、２０  ガイド体、２１  サークル体、２１ａ  切除部、２３  連結部、２６  当接部、２７  ガイド壁、２８  レンズ部、３０  凸部、３１  移動防止壁、３５  支持部材、３９  支持軸、４０  鍋。
【図１】
0003743935.tif 000002
【図２】
0003743935.tif 000003
【図３】
0003743935.tif 000004
【図４】
0003743935.tif 000005
【図５】
0003743935.tif 000006
【図６】
0003743935.tif 000007
【図７】
0003743935.tif 000008
【図８】
0003743935.tif 000009
【図９】
0003743935.tif 000010
【図１０】
0003743935.tif 000011
【図１１】
0003743935.tif 000012
【図１２】
0003743935.tif 000013
【図１３】
0003743935.tif 000014
【図１４】
0003743935.tif 000015
【図１５】
0003743935.tif 000016
【図１６】
0003743935.tif 000017
【図１７】
0003743935.tif 000018